(57)【要約】【課題】エアフィルタのケースへの装着性を向上させる。【解決手段】エアフィルタ１０は、四角枠状のフィルタ枠１１と、そのフィルタ枠１１の内部に配置されるフィルタ濾材２０とを備える。フィルタ枠１１の内周面に取手４２を取り付ける。取手４２は、フィルタ濾材よりもフィルタ枠１１の一方の開口部１８Ａ側に配置する。【選択図】図１
2008221057.tif 000002
【特許請求の範囲】
【請求項１】
フィルタ枠と、
前記フィルタ枠の内部に配置されるフィルタ濾材と、
前記フィルタ枠の内周面において、前記フィルタ濾材よりも前記フィルタ枠の第１の開口部側に取り付けられる取手と
を備えることを特徴とするエアフィルタ。
【請求項２】
前記取手は、前記第１の開口部から前記フィルタ枠の外部に突出して配置でき、かつその内部に格納して配置できるように、前記内周面に変位可能に取り付けられることを特徴とする請求項１に記載のエアフィルタ。
【請求項３】
内周面に固定される固定部を備え、前記取手は、その固定部を中心に回転可能に取り付けられることを特徴とする請求項１に記載のエアフィルタ。
【請求項４】
前記固定部は、前記フィルタ枠の外周面側から内周面側に挿入して取り付けられるリベットによって固定されることを特徴とする請求項３に記載のエアフィルタ。
【請求項５】
前記フィルタ濾材よりも前記第１の開口部側には、前記フィルタ濾材を保護するための第１のフェイスガードが配置され、前記取手は前記第１のフェイスガードよりさらに前記第１の開口部側に配置されることを特徴とする請求項１に記載のエアフィルタ。
【請求項６】
前記フィルタ枠には前記第１の開口部に対向する第２の開口部が形成され、前記フィルタ濾材よりも前記第２の開口部側にも、前記フィルタ濾材を保護するための第２のフェイスガードが配置されることを特徴とする請求項５に記載のエアフィルタ。
【請求項７】
前記第１及び第２のフェイスガードそれぞれは、前記フィルタ枠の前記第１及び第２の開口部側の縁部からそれぞれ離間して配置されることを特徴とする請求項６に記載のエアフィルタ。
【発明の詳細な説明】
【技術分野】
【０００１】
本発明は、エアフィルタに関し、特にアスベスト除去作業等で使用される局所排気装置等に設けられるエアフィルタに関する。
【背景技術】
【０００２】
室内のアスベスト除去作業は、アスベストが外部に飛散しないように室内が負圧にして行われ、その室内の空気を排出するための局所排気装置には、アスベストが外部に排出しないように、フィルタユニットが設けられる。フィルタユニットとしては、一般的にプレフィルタ、中性能フィルタ、及びＨＥＰＡフィルタが室内側から順に並べられたものが用いられる。これらエアフィルタは、例えば、ダクト等の筒状の取り付けケースの正面（開口面）からケース内部に取り付けられて配置される。
【０００３】
しかし、上記用途の局所排気装置は設置できるスペースが限られており、ケースを十分に大きくすることはできないので、ケース内壁とエアフィルタの隙間が狭く、ケース内部から各フィルタを取り出す作業は時間を要してしまうことが多い。特に、ケースの最も奥側に配置されるＨＥＰＡフィルタをケースから取り出すことは困難である。
【０００４】
従来、特許文献１に記載されるように、プリーツ状に折り曲げられたフィルタエレメントの上下左右の端部に側板及び補強板が設けられると共に、装着性を向上させるために、その補強板の外周面に取手が取り付けられたエアフィルタが知られている。しかし、このエアフィルタはＨＥＰＡフィルタに適用することは困難であるし、このフィルタをケースの正面からケース内部に取り付けるタイプのエアフィルタに適用しても、取り出しが容易になるとはいえない。
【特許文献１】特開２００１−２３９１２０号公報
【発明の開示】
【発明が解決しようとする課題】
【０００５】
そこで、本発明は上記問題点に鑑みてなされたものであり、特に、筒状のケースの正面側からケース内部に取り付けられるエアフィルタにおいて、その装着性を向上させることを目的とする。
【課題を解決するための手段】
【０００６】
本発明に係るエアフィルタは、フィルタ枠と、フィルタ枠の内部に配置されるフィルタ濾材と、フィルタ枠の内周面において、フィルタ濾材よりもフィルタ枠の第１の開口部側に取り付けられる取手とを備えることを特徴とする。
【０００７】
取手は、第１の開口部からフィルタ枠の外部に突出して配置でき、かつその内部に格納して配置できるように、内周面に変位可能に取り付けられることが好ましい。また、内周面に固定される固定部を備え、取手が、その固定部を中心に回転可能に取り付けられることが好ましい。
【０００８】
固定部は、フィルタ枠の外周面側から内周面側に挿入して取り付けられるリベットによって固定されることが好ましい。フィルタ濾材よりも第１の開口部側には、フィルタ濾材を保護するための第１のフェイスガードが配置され、取手は第１のフェイスガードよりさらに第１の開口部側に配置されることが好ましい。
【０００９】
フィルタ枠には第１の開口部に対向する第２の開口部が形成され、フィルタ濾材よりも第２の開口部側にも、フィルタ濾材を保護するための第２のフェイスガードが配置されることが好ましい。また、第１及び第２のフェイスガードそれぞれは、フィルタ枠の第１及び第２の開口部側の縁部からそれぞれ離間して配置されることが好ましい。
【発明の効果】
【００１０】
以上のように、本発明においては、取手をエアフィルタの内周面に取り付けることにより、エアフィルタを筒状のケースに前面から装着する際の装着性を向上させることができる。
【発明を実施するための最良の形態】
【００１１】
以下本発明について、図面を参照しつつ説明する。
図１、２は、それぞれ本発明の実施形態に係るエアフィルタ１０を示す正面図、側面図である。なお、以下の説明においては、図１における上下左右を上下左右として説明すると共に、図１の紙面手前側を前方、奥側を後方として説明する。
【００１２】
エアフィルタ１０は，ＨＥＰＡフィルタであって、フィルタ枠１１と、フィルタ濾材２０と、第１及び第２のフェイスガード３０Ａ、３０Ｂ（図３参照）と、取手ユニット４０Ａ、４０Ｂと、ガスケット５０Ａ、５０Ｂとを備える。フィルタ枠１１は、矩形又は方形の四角枠状に形成され、前方側及び後方側に開口部１８Ａ、１８Ｂが対向して形成され、前方側の開口部１８Ａがエア吸気側で、後方側の開口部１８Ｂがエア排気側となり、前方から後方に向けてエアが流入される。
【００１３】
フィルタ枠１１は、例えばアルミニウム等の金属で形成される。フィルタ枠１１は、互いに平行な上枠部１２及び下枠部１３と、上枠部１２及び下枠部１３の右端部を連結する右側枠部１４と、上枠部１２及び下枠部１３の左端部を連結する左側枠部１５とで構成され、右側枠部１４及び左側枠部１５も互いに平行に配置される。フィルタ枠１１の各枠部における、前縁部７１及び後縁部７２には、各枠部の内周面からフィルタ１０の中央に向けて突出し、かつ各縁部に沿って延びるガード部１６（図３参照）が設けられる。ガード部１６の先端部には、フィルタ枠２０の内側（すなわち、前方又は後方）に向けて僅かに突出する突出部１６Ａと、突出部１６Ａの先端部からさらに各枠部の内周面に向けて突出する第２の突出部１６Ｂが設けられる。なお、第２の突出部１６Ｂの先端部は、各枠部の内周面から離間している（図３参照）。ガード部１６は、接着剤が各フィルタ枠２０の内周面から外部に流出するのを防止する。フィルタ枠１１の前面及び背面それぞれには、ガスケット５０Ａ、５０Ｂが全周に亘って四角枠形状に固着される。
【００１４】
フィルタ濾材２０は、シート状の濾材がジグザグに折り畳まれて略直方体に形成され、フィルタ枠１１の内部に配置され、その上下左右の端部が上枠部１２、下枠部１３、左側枠部１５、右側枠部１４それぞれの内周面に、ウレタン樹脂等の接着剤で固定される。
【００１５】
第１及び第２のフェイスガード３０Ａ、３０Ｂ（図３参照）は、フィルタ枠１１の内部において、フィルタ濾材２０の前方側及び後方側それぞれに配置され、フィルタ濾材２０を保護する。第１及び第２のフェイスガード３０Ａ、３０Ｂは、例えばアルミニウム等の金属から形成される矩形状（又は方形状）の金属板に無数のパンチング穴が穿設されている。第１及び第２のフェイスガード３０Ａ、３０Ｂは、それぞれその上下左右の端部が上枠部１２、下枠部１３、左側枠部１５、右側枠部１４のそれぞれの内周面に、フィルタ濾材２０と共に接着剤によって固定される。
【００１６】
第１及び第２のフェイスガード３０Ａ、３０Ｂ（図３参照）はそれぞれ、フィルタ枠１１の各枠部の前縁部７１及び後縁部７２から離間され、第１のフェイスガード３０Ａの前縁部７１からの離間距離は、第２のフェイスガード３０Ｂの後縁部７２Ｂからの離間距離と略同一である。また、フィルタ濾材２０と前縁部７１との離間距離は、フィルタ濾材２０と後縁部７２との離間距離に略同一となり、すなわち、フィルタ濾材２０はフィルタ枠１１の前後方向の幅に対して均等に配置される。
【００１７】
取手ユニット４０Ａ、４０Ｂは、フィルタ濾材２０より前方側において、対向して配置される右側枠部１４及び左側枠部１５それぞれに取り付けられている。
【００１８】
図３、４は取手ユニット４０Ａをさらに具体的に説明するための斜視図である。以下、右側枠部１４に取り付けられる取手ユニット４０Ａについて説明するが、左側枠部１５に取り付けられる取手ユニット４０Ｂも同様の構成を有するので、その説明は省略する。
【００１９】
図３、４に示すように、取手ユニット４０Ａは、右側枠部１４の内周面１４Ａに固定される固定部４１と、固定部４１に取り付けられる取手４２とを備える。固定部４１は、略矩形の基底板４１Ａと、基底板４１Ａの幅方向における一方の縁部４１Ｅから垂直に立ち上げられる略矩形の立ち上がり板４１Ｂが連設されて断面Ｌ字形状を呈する。立ち上がり板４１Ｂの立ち上がり先端の縁部４１Ｆには、その縁部４１Ｆに沿って軸が延びる円筒部４１Ｃが連設される。
【００２０】
取手４２は、細長金属棒が略矩形に無端状に繋げられて形成される。取手４２は、その矩形のうち一方の長辺に対応する部分が円筒部４１Ｃの内部に挿通され、これにより、円筒部４１Ｃを中心に回転できるように、固定部４１に支持される。
【００２１】
基底板４１Ａは、縁部４１Ｅ側が前方側に配置されるように、第１のフェイスガード３０Ａの前方において、右側枠部１４の内周面１４Ａに載置され、これにより立ち上がり板４１Ｂがガード部１６の第２の突出部１６Ｂに沿うように配置される。すなわち、円筒部４１Ｃは、第１のフェイスガード３０Ａより前方において、第１のフェイスガード３０Ａから離間して配置されると共に、円筒部４１Ｃに支持される取手４２も第１のフェイスガード３０Ａ及びフィルタ濾材２０より前方（開口部１８Ａ側）に配置される。また、円筒部４１Ｃは、図１、３に示すようにガード部１６の先端部よりも、エアフィルタ１０の中央に向けて突き出されて配置される。
【００２２】
取手４２は、このように円筒部４１Ｃがガード部１６より突き出されて配置されることにより、ガード部１６に阻害されずに、円筒部４１Ｃを中心に前方に回転変位することができる。したがって、図３に示すように、開口部１８Ａからフィルタ枠１１の外部に突出する位置に配置させることが可能である。また、取手４２はエアフィルタ１０の後方に、第１のフェイスガード３０Ａに接触する位置まで回転変位することも可能である。したがって、フィルタ枠１１の内部に格納させることも可能である。
【００２３】
基底板４１Ａには、リベットを通すための２つの孔４１Ｇ、４１Ｈが穿設されると共に、右側枠部１４のこれら孔４１Ｇ、４１Ｈに対応する位置それぞれには孔１４Ｇ、１４Ｈ（図２参照）が穿設される。孔１４Ｇ、４１Ｇ、並びに孔１４Ｈ、４１Ｈには、外周面１４Ｂ側から内周面１４Ａ側に向けてリベット６０、６１が挿通されて取り付けられ、このリベット６０、６１によって固定部４１は右側枠部１４に固定される。なお、リベット６０、６１としては、例えば、孔に挿入された後、外周面１４Ｂ側の先端部が引き抜かれることにより、内周面１４Ａから突出するリベット先端部が拡径して、その拡径部分と外周面１４Ｂ側に配置されるリベットのフランジ（不図示）とで挟み込んで固定部４１を固定する、いわゆるポップリベットが使用される。
【００２４】
次に、本実施形態に係るエアフィルタの作用について説明する。本実施形態に係るエアフィルタ１０は、例えば、ダクト等の筒状のケース部材の正面（開口部）からケース内部に取り付けられる。エアフィルタ１０が取り付けられた後、ケース内部にはエアフィルタ１０の前方にさらに中性能フィルタ（不図示）が取り付けられる。ここで、中性能フィルタは、エアフィルタ１０との間におけるエア漏れをなくすために、ガスケット５０Ａが中性能フィルタのフィルタ枠に密着するように取り付けられる。したがって、エアフィルタ１０の開口部１８Ａと中性能フィルタの間には、ほとんど隙間がない状態になる。しかし、取手４２は、このとき、開口部１８Ａよりも後方側（すなわち、フィルタ枠の内部）に格納されるので、取手４２が中性能フィルタの設置を阻害することはない。
【００２５】
エアフィルタ１０が取り出されるとき、取手は回転させられ、開口部よりも前方側（すなわち、フィルタ枠の外部）に突き出されて配置させられる。そして、使用者によって取手４２が把持された状態で、エアフィルタ１０がケースから引き出され、これにより、エアフィルタはケースから簡単に取り出すことが可能になる。
【００２６】
また、本実施形態では、第１のフェイスガード３０Ａが前方側の開口部１８Ａ側に配置されているので、取手４２が把持されてエアフィルタ１０が取り出されるとき、使用者の手等がフィルタ濾材２０に接触してフィルタ濾材が破損するのが防止される。また、第１のフェイスガード３０Ａによって、取手４２がフィルタ濾材２０に接触することも防止される。さらには、濾材の一部が破損しても、後方側の開口部１８Ｂに設けられた第２のフェイスガード３０Ｂによって、濾材の飛散による清浄空気の汚染が防止される。
【００２７】
さらに、本実施形態では、第１及び第２のフェイスガード３０Ａ，３０Ｂは、フィルタ枠の各枠部の前縁部７１及び後縁部７２から離間して配置される。したがって、前方側の開口部１８Ａ及び後方側の開口部１８Ｂの両方から、フィルタ枠１１の内部に手を挿入することができるため、例えば、上枠部１２の前縁部７１及び後縁部７２が把持されて、エアフィルタ１０を持ち運ぶことも可能となる。また、前縁部７１及び後縁部７２が把持されるとき、運搬者の手はフィルタ枠のガード部１６の先端に当てられるが、ガード部１６の先端は、フィルタ枠１１の内部にさらに突出しているため、運搬者の手はガード部１６の先端に面状に接触することとなる。したがって、運搬者は、例えば長時間エアフィルタ１０を持ち運んでも苦痛を受けることはない。
【００２８】
さらに、本実施形態では、固定部４１を固定するためのリベット６０、６１は、外周面側にはほとんど突出せず、ケース内部へのエアフィルタ１０の取り付けがリベットによって阻害されることがない。さらに、リベット先端部の引き抜きはフィルタ枠の外部で行われるので、容易に行うことができる。
【００２９】
なお、本実施形態では、取手４２は固定部４１を介して内周面１４Ａに取り付けられたが、内周面に直接取り付けられていても良い。また、以上の説明においては、取手がＨＥＰＡフィルタに適用される実施形態を示したが、他のフィルタに適用されても良い。
【図面の簡単な説明】
【００３０】
【図１】本発明の一実施形態に係るエアフィルタの正面図である。
【図２】本発明の一実施形態に係るエアフィルタの側面図である。
【図３】右側枠部の一部を示す斜視図である。
【図４】取手ユニットを示す斜視図である。
【符号の説明】
【００３１】
１０  エアフィルタ
１１  フィルタ枠
１４  右側枠部
１４Ａ  内周面
１５Ｂ  外周面
１８Ａ、１８Ｂ  開口部
３０Ａ、３０Ｂ  フェイスガード
４０Ａ、４０Ｂ  取手ユニット
４１  固定部
４２  取手
６０、６１  リベット
【図１】
2008221057.tif 000003
【図２】
2008221057.tif 000004
【図３】
2008221057.tif 000005
【図４】
2008221057.tif 000006